(57)【要約】【課題】本発明は、受信内容の適切な把握と紙資源の節約を行うファクシミリ装置に関する。【解決手段】複合装置１は、複数ページのファクシミリ受信画像データを一旦データ蓄積通信データ蓄積メモリ３６に蓄積した後、プロッタ２２で記録紙に記録出力するが、このとき、１ページ目の画像データをプロッタ２２で等倍で記録紙の表面に記録出力し、２ページ目以降の画像データを、通信データ処理部３５で、予め設定された縮小率で縮小した後、４ページの縮小画像を所定サイズの記録紙の１ページ分に集約して、当該集約画像をプロッタ２２で１ページ目の画像を記録した記録紙の裏面に記録する。したがって、受信画像の内容の適切な判定を可能としつつ、紙資源と電力資源を節約することができる。【選択図】          図１
2005150790.tif 000002
【特許請求の範囲】
【請求項１】
ファクシミリ受信画像データを一旦データ蓄積手段に蓄積した後、記録出力手段で記録紙に記録出力するファクシミリ装置において、前記データ蓄積手段の画像データをページ毎に予め設定された縮小率で縮小する縮小手段と、前記縮小手段の縮小した複数ページの縮小画像を所定サイズの記録紙の１ページ分に集約するページ集約手段と、を備え、前記記録出力手段が前記記録紙の両面に画像を記録する両面記録機能を備え、複数ページの画像データを受信すると、前記データ蓄積手段に一旦蓄積した後、１ページ目の画像データを前記記録出力手段で等倍で記録紙の表面に記録出力し、２ページ目以降の画像データを前記縮小手段で縮小した後、前記ページ集約手段で集約して、当該集約画像を前記記録出力手段で前記１ページ目の画像を記録した記録紙の裏面に記録出力することを特徴とするファクシミリ装置。
【請求項２】
前記ファクシミリ装置は、受信画像データのページが集約ページとして有効なページであるか否かを判定する集約ページ判定手段を備え、前記データ蓄積手段に蓄積されている複数ページの受信画像データの２ページ目以降の画像データのうち、前記集約ページ判定手段が集約ページとして有効であると判定したページの画像データを前記縮小手段で縮小画像に縮小し、前記ページ集約手段で当該縮小画像を集約して、当該集約画像を前記記録出力手段で前記１ページ目の画像を記録した記録紙の裏面に記録出力することを特徴とする請求項１記載のファクシミリ装置。
【請求項３】
前記ファクシミリ装置は、前記集約ページとして選択する集約ページ選択基準を設定する集約ページ設定手段と、ページの画像データが前記集約ページ設定手段で設定された集約ページ選択基準を満たしているか否かを判定する集約ページ判定手段と、を備え、前記データ蓄積手段に蓄積されている複数ページの受信画像データの２ページ以降の画像データのうち、前記集約ページ判定手段が前記集約ページ選択基準を満たしていると判定したページの画像データを前記縮小手段で縮小画像に縮小し、前記ページ集約手段で当該縮小画像を集約して、当該集約画像を前記記録出力手段で前記１ページ目の画像を記録した記録紙の裏面に記録出力することを特徴とする請求項１記載のファクシミリ装置。
【請求項４】
前記ファクシミリ装置は、両面記録する記録紙の表面に記録するページを選択する表面ページ選択基準を設定する表面ページ設定手段と、ページの画像データが前記表面ページ設定手段で設定された表面ページ選択基準を満たしているか否かを判定する表面ページ判定手段と、を備え、前記データ蓄積手段に蓄積されている複数ページの受信画像データの１ページ目以降の所定ページの画像データのうち、前記表面ページ判定手段が前記表面ページ選択基準を満たしていると判定したページの画像データを前記記録出力手段で前記両面記録する記録紙の表面に記録出力することを特徴とする請求項１から請求項３のいずれかに記載のファクシミリ装置。
【請求項５】
前記ファクシミリ装置は、クライアント端末の接続されているネットワークに接続され、前記受信画像データを当該クライアント端末の搭載しているアプリケーションで少なくとも表示可能なファイル形式に変換するファイル変換手段と、当該ファイル変換手段の変換した変換ファイルとファクシミリ受信ファイルとを一義的に関連付ける関連付け手段と、を備え、前記データ蓄積手段の前記受信画像データのうち少なくとも１ページ目の画像データを前記ファイル変換手段でファイル変換し、前記クライアント端末の前記アプリケーションからの要求に応じて、当該ファイル変換手段の変換した変換ファイルを前記ＬＡＮを介して当該クライアント端末に転送することを特徴とする請求項１から請求項４のいずれかに記載のファクシミリ装置。
【発明の詳細な説明】
【技術分野】
【０００１】
本発明は、ファクシミリ装置に関し、詳細には、受信内容の適切な把握と紙資源の節約を行うファクシミリ装置に関する。
【背景技術】
【０００２】
従来、ファクシミリ装置等においては、画像データを受信すると、受信画像をそのままそのサイズや所定サイズの記録紙に記録して出力するようになっている。
【０００３】
受信者にとって必要であるか否かにかかわらず受信画像が記録紙に出力され、環境問題が重要な問題となってきている今日、不必要な受信画像を記録紙にそのままのサイズで記録出力すると、記録紙が無駄になるとともに無駄な電力が消費されるという問題点がある。
【０００４】
そこで、本出願人は、先に、複数枚の受信画像を画像蓄積手段に蓄積して、複数枚の受信画像の内容を集約した受信レポートを記録紙に印刷するファクシミリ装置を提案している（特許文献１参照）。
【０００５】
すなわち、この従来技術は、１通信毎に受信画像を集約した受信レポートを記録出力している。
【０００６】
ところが、近年、紙資源及び電力資源の消費の削減が望まれており、ファクシミリ装置においては、受信レポートだけでなく、受信画像のプリント出力が、紙資源及び電力資源の消費を招くため、削減が求められている。
【０００７】
そして、従来、独自のＦＡＸプロトコルを用いて宛先を判別し、予め登録された宛先からのＦＡＸ受信かどうかで、両面印刷するか、片面印刷するか選択するファクシミリ装置が提案されている（特許文献２参照）。
【０００８】
また、本出願人は、先に、受信画像を縮小し集約した画像を作成して、集約レポートを出力し、また、受信ページに対応して縮小等の条件を変更する画像出力装置を提案している（特許文献３参照）。
【０００９】
【特許文献１】特開平８−１６３３０９号公報
【特許文献２】特開２００３−３２４６３号公報
【特許文献３】特開平８−３３１３４０号公報
【発明の開示】
【発明が解決しようとする課題】
【００１０】
しかしながら、上記従来技術にあっては、利用性を向上させつつ、紙資源及び電力資源の消費を安価に節減する上で改良の必要があった。
【００１１】
すなわち、特許文献２記載の従来技術にあっては、標準化されていない独自のプロトコルを用いており、メーカの異なるファクシミリ装置間での通信においては、相手先を判別することができず、相手先に応じて両面印刷を行うことで、紙資源を節減することができず、改良の必要があった。また、両面印刷が紙資源を節減しようとしているが、特定の相手先からの受信では、枚数内容がある程度わかっているため削減することはできるが、受信一般について紙資源を節減する上で、改良の必要がある。
【００１２】
また、特許文献３記載の従来技術にあっては、ファクシミリ受信の情報の伝達性からすると、ただ単に縮小画像を並べただけでは使い勝手が悪く、また、受信画像のページ数が増えると、縮小率を上げているため、ページ数が多いほど、画像の損失が多く、画像判定できない程度になって、かえって、紙資源の消費が多くなるおそれがあり、改良の必要があった。
【００１３】
そこで、請求項１記載の発明は、複数ページのファクシミリ受信画像データを一旦データ蓄積手段に蓄積した後、記録出力手段で記録紙に記録出力するに際して、１ページ目の画像データを記録出力手段で等倍で記録紙の表面に記録出力し、２ページ目以降の画像データを、縮小手段で、予め設定された縮小率で縮小した後、複数ページの縮小画像を所定サイズの記録紙の１ページ分に集約するページ集約手段で集約して、当該集約画像を記録出力手段で１ページ目の画像を記録した記録紙の裏面に記録出力することにより、１枚の記録紙の表面と裏面に、受信画像の１ページ目の画像と見やすい縮小画像を集約した集約画像を記録し、受信画像の内容の判定を適切に行いつつ、紙資源の節約と電力資源の節約を行うファクシミリ装置を提供することを目的としている。
【００１４】
請求項２記載の発明は、データ蓄積手段に蓄積されている複数ページの受信画像データの２ページ目以降の画像データについて当該各ページが集約ページとして有効なページであるか否かを集約ページ判定手段で判定して、集約ページ判定手段が集約ページとして有効であると判定したページの画像データを縮小手段で縮小画像に縮小し、ページ集約手段で当該縮小画像を集約して、当該集約画像を記録出力手段で１ページ目の画像を記録した記録紙の裏面に記録出力することにより、イメージ等があまり記載されていないページ等のように情報量の少ないページを省いて、情報量の多いページのみを集約した集約画像を作成して裏面に記録し、受信画像の内容の判定をより一層適切に行いつつ、紙資源の節約と電力資源の節約を行うファクシミリ装置を提供することを目的としている。
【００１５】
請求項３記載の発明は、データ蓄積手段に蓄積されている複数ページの受信画像データの２ページ以降の画像データのうち、集約ページ設定手段で設定された集約ページ選択基準を満たしていると集約ページ判定手段が判定したページの画像データを縮小手段で縮小画像に縮小し、ページ集約手段で当該縮小画像を集約して、当該集約画像を記録出力手段で１ページ目の画像を記録した記録紙の裏面に記録出力することにより、イメージ等があまり記載されていないページ等のように情報量の少ないページ等をユーザの選択基準に基づいて省いて、ユーザの選択した情報量に応じたページのみを集約した集約画像を作成して裏面に記録し、受信画像の内容の判定をユーザにとってより一層適切に行いつつ、紙資源の節約と電力資源の節約を行うファクシミリ装置を提供することを目的としている。
【００１６】
請求項４記載の発明は、データ蓄積手段に蓄積されている複数ページの受信画像データの１ページ目以降の所定ページの画像データのうち、両面記録する記録紙の表面に記録するページを選択する表面ページ選択基準を設定する表面ページ設定手段で設定された表面ページ選択基準を満たしていると、表面ページ判定手段が判定したページの画像データを記録出力手段で両面記録する記録紙の表面に記録出力することにより、ユーザの設定に応じた情報のページを表面ページとして記録し、受信画像の内容の判定をユーザにとってより一層適切に行いつつ、紙資源の節約と電力資源の節約を行うファクシミリ装置を提供することを目的としている。
【００１７】
請求項５記載の発明は、データ蓄積手段の受信画像データのうち少なくとも１ページ目の画像データを、ファイル変換手段で、ネットワークに接続されているクライアント端末の搭載しているアプリケーションで少なくとも表示可能なファイル形式にファイル変換し、クライアント端末のアプリケーションからの要求に応じて、当該ファイル変換手段の変換した変換ファイルをＬＡＮを介して当該クライアント端末に転送することにより、ネットワーク上のクライアント端末から少なくとも受信画像データの１ページ目を閲覧し、利用性を向上させつつ、紙資源の節約と電力資源の節約を行うファクシミリ装置を提供することを目的としている。
【課題を解決するための手段】
【００１８】
請求項１記載の発明のファクシミリ装置は、ファクシミリ受信画像データを一旦データ蓄積手段に蓄積した後、記録出力手段で記録紙に記録出力するファクシミリ装置において、前記データ蓄積手段の画像データをページ毎に予め設定された縮小率で縮小する縮小手段と、前記縮小手段の縮小した複数ページの縮小画像を所定サイズの記録紙の１ページ分に集約するページ集約手段と、を備え、前記記録出力手段が前記記録紙の両面に画像を記録する両面記録機能を備え、複数ページの画像データを受信すると、前記データ蓄積手段に一旦蓄積した後、１ページ目の画像データを前記記録出力手段で等倍で記録紙の表面に記録出力し、２ページ目以降の画像データを前記縮小手段で縮小した後、前記ページ集約手段で集約して、当該集約画像を前記記録出力手段で前記１ページ目の画像を記録した記録紙の裏面に記録出力することにより、上記目的を達成している。
【００１９】
この場合、例えば、請求項２に記載するように、前記ファクシミリ装置は、受信画像データのページが集約ページとして有効なページであるか否かを判定する集約ページ判定手段を備え、前記データ蓄積手段に蓄積されている複数ページの受信画像データの２ページ目以降の画像データのうち、前記集約ページ判定手段が集約ページとして有効であると判定したページの画像データを前記縮小手段で縮小画像に縮小し、前記ページ集約手段で当該縮小画像を集約して、当該集約画像を前記記録出力手段で前記１ページ目の画像を記録した記録紙の裏面に記録出力するものであってもよい。
【００２０】
また、例えば、請求項３に記載するように、前記ファクシミリ装置は、前記集約ページとして選択する集約ページ選択基準を設定する集約ページ設定手段と、ページの画像データが前記集約ページ設定手段で設定された集約ページ選択基準を満たしているか否かを判定する集約ページ判定手段と、を備え、前記データ蓄積手段に蓄積されている複数ページの受信画像データの２ページ以降の画像データのうち、前記集約ページ判定手段が前記集約ページ選択基準を満たしていると判定したページの画像データを前記縮小手段で縮小画像に縮小し、前記ページ集約手段で当該縮小画像を集約して、当該集約画像を前記記録出力手段で前記１ページ目の画像を記録した記録紙の裏面に記録出力するものであってもよい。
【００２１】
さらに、例えば、請求項４に記載するように、前記ファクシミリ装置は、両面記録する記録紙の表面に記録するページを選択する表面ページ選択基準を設定する表面ページ設定手段と、ページの画像データが前記表面ページ設定手段で設定された表面ページ選択基準を満たしているか否かを判定する表面ページ判定手段と、を備え、前記データ蓄積手段に蓄積されている複数ページの受信画像データの１ページ目以降の所定ページの画像データのうち、前記表面ページ判定手段が前記表面ページ選択基準を満たしていると判定したページの画像データを前記記録出力手段で前記両面記録する記録紙の表面に記録出力するものであってもよい。
【００２２】
また、例えば、請求項５に記載するように、前記ファクシミリ装置は、クライアント端末の接続されているネットワークに接続され、前記受信画像データを当該クライアント端末の搭載しているアプリケーションで少なくとも表示可能なファイル形式に変換するファイル変換手段と、当該ファイル変換手段の変換した変換ファイルとファクシミリ受信ファイルとを一義的に関連付ける関連付け手段と、を備え、前記データ蓄積手段の前記受信画像データのうち少なくとも１ページ目の画像データを前記ファイル変換手段でファイル変換し、前記クライアント端末の前記アプリケーションからの要求に応じて、当該ファイル変換手段の変換した変換ファイルを前記ＬＡＮを介して当該クライアント端末に転送するものであってもよい。
【発明の効果】
【００２３】
請求項１記載の発明のファクシミリ装置によれば、複数ページのファクシミリ受信画像データを一旦データ蓄積手段に蓄積した後、記録出力手段で記録紙に記録出力するに際して、１ページ目の画像データを記録出力手段で等倍で記録紙の表面に記録出力し、２ページ目以降の画像データを、縮小手段で、予め設定された縮小率で縮小した後、複数ページの縮小画像を所定サイズの記録紙の１ページ分に集約するページ集約手段で集約して、当該集約画像を記録出力手段で１ページ目の画像を記録した記録紙の裏面に記録出力するので、１枚の記録紙の表面と裏面に、受信画像の１ページ目の画像と見やすい縮小画像を集約した集約画像を記録することができ、受信画像の内容の判定を適切に行うことができるとともに、紙資源と電力資源を節約することができる。
【００２４】
請求項２記載の発明のファクシミリ装置によれば、データ蓄積手段に蓄積されている複数ページの受信画像データの２ページ目以降の画像データについて当該各ページが集約ページとして有効なページであるか否かを集約ページ判定手段で判定して、集約ページ判定手段が集約ページとして有効であると判定したページの画像データを縮小手段で縮小画像に縮小し、ページ集約手段で当該縮小画像を集約して、当該集約画像を記録出力手段で１ページ目の画像を記録した記録紙の裏面に記録出力するので、イメージ等があまり記載されていないページ等のように情報量の少ないページを省いて、情報量の多いページのみを集約した集約画像を作成して裏面に記録することができ、受信画像の内容の判定をより一層適切に行うことができるとともに、紙資源と電力資源を節約することができる。
【００２５】
請求項３記載の発明のファクシミリ装置によれば、データ蓄積手段に蓄積されている複数ページの受信画像データの２ページ以降の画像データのうち、集約ページ設定手段で設定された集約ページ選択基準を満たしていると集約ページ判定手段が判定したページの画像データを縮小手段で縮小画像に縮小し、ページ集約手段で当該縮小画像を集約して、当該集約画像を記録出力手段で１ページ目の画像を記録した記録紙の裏面に記録出力するので、イメージ等があまり記載されていないページ等のように情報量の少ないページ等をユーザの選択基準に基づいて省いて、ユーザの選択した情報量に応じたページのみを集約した集約画像を作成して裏面に記録することができ、受信画像の内容の判定をユーザにとってより一層適切に行うことができるとともに、紙資源と電力資源を節約することができる。
【００２６】
請求項４記載の発明のファクシミリ装置によれば、データ蓄積手段に蓄積されている複数ページの受信画像データの１ページ目以降の所定ページの画像データのうち、両面記録する記録紙の表面に記録するページを選択する表面ページ選択基準を設定する表面ページ設定手段で設定された表面ページ選択基準を満たしていると、表面ページ判定手段が判定したページの画像データを記録出力手段で両面記録する記録紙の表面に記録出力するので、ユーザの設定に応じた情報のページを表面ページとして記録することができ、受信画像の内容の判定をユーザにとってより一層適切に行ことができるとともに、紙資源と電力資源を節約することができる。
【００２７】
請求項５記載の発明のファクシミリ装置によれば、データ蓄積手段の受信画像データのうち少なくとも１ページ目の画像データを、ファイル変換手段で、ネットワークに接続されているクライアント端末の搭載しているアプリケーションで少なくとも表示可能なファイル形式にファイル変換し、クライアント端末のアプリケーションからの要求に応じて、当該ファイル変換手段の変換した変換ファイルをＬＡＮを介して当該クライアント端末に転送するので、ネットワーク上のクライアント端末から少なくとも受信画像データの１ページ目を閲覧することができ、利用性を向上させることができるとともに、紙資源と電力資源を節約することができる。
【発明を実施するための最良の形態】
【００２８】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２９】
図１〜図３は、本発明のファクシミリ装置の一実施例を示す図であり、図１は、本発明のファクシミリ装置の一実施例を適用した複合装置１のブロック構成図である。
【００３０】
図１において、複合装置１は、コピー制御部１０、通信制御部３０及び電源供給部５０等にブロック構成されており、ファクシミリ通信機能、コピー機能、ファクシミリ通信機能、データ通信機能、無線通信機能等の各種機能を実行する。
【００３１】
コピー制御部１０は、メインＣＰＵ（Central Processing Unit)１１、ＲＯＭ（Read Only Memory）１２、ＲＡＭ（Random Access Memory )１３、ワークＲＡＭ１４、圧縮伸長制御部１５、大容量メモリ１６、操作パネル制御部１７、操作パネル１８、スキャナ制御部１９、スキャナ２０、プリンタ制御部２１、プリンタ２２、ＩＯ制御部２３及び各種ＩＯ２４等を備えており、上記各部はバス２５で接続され、また、バス２５に接続されているブリッジ６０を介して通信制御部５０と接続されている。
【００３２】
ＲＯＭ１２には、複合装置１としての基本プログラムや後述するプリント制御処理プログラム等の各種プログラム及びこれらの各プログラムを実行するのに必要な各種データが格納されている。
【００３３】
ＲＡＭ１３は、情報蓄積用のメモリであり、電池２６でバックアップされていて、各種情報を複合装置１の電源がオフされた場合や停電の場合にも保持する。
【００３４】
ワークＲＡＭ１４は、メインＣＰＵ１１によりデータ処理のワーク領域として使用される。
【００３５】
メインＣＰＵ１１は、ＲＯＭ１２内のプログラムに基づいて、ワークＲＡＭ１４をデータ処理で使用しつつ、コピー制御部１０の各部及び後述する通信制御部３０の各部を制御して、操作パネル１８の制御、スキャナ２０の読み込み動作、プロッタ２２でのプリント出力等の複合装置１としての基本処理を実行するとともに、後述するプリント制御処理を実行する。
【００３６】
圧縮伸長制御部１５は、画像データの大容量メモリ１６への蓄積の効率化及び伝送時間の短縮化を図るためのものであり、所定の符号化方式に従って画像データを符号化し、また、符号化された画像データを復号化する。
【００３７】
大容量メモリ１６は、ＲＡＭあるいはハードディスク等で構成され、スキャナ制御部１９に接続されているスキャナ２０の読み取った原稿の画像データ及び受信した画像データ等を蓄積する。特に、大容量メモリ１６は、コピー時のファイリング処理を行うためのデータ処理、特に、圧縮処理に利用される。
【００３８】
操作パネル制御部１７には、操作パネル（集約ページ設定手段、表面ページ設定手段）１８が接続されており、操作パネル１８は、テンキーやスタートキー等の各種操作キーを備えるとともに、ディスプレイ（例えば、液晶ディスプレイ）を備えている。操作パネル１８では、操作キーにより送信先の指定やその他の送信操作等の各種命令が入力操作され、表示部には、操作キーで入力された各種命令内容や複合装置１からオペレータに通知する各種情報が表示される。そして、操作パネル制御部１７は、操作パネル１８での操作内容を取得して、メインＣＰＵ１１に出力し、また、メインＣＰＵ１１の制御下で、ディスプレイに上記各種情報を表示させる。特に、操作パネル１８のキー操作により、集約ページとして選択する集約ページ選択基準が設定され、また、両面記録する記録紙の表面に記録するページを選択する表面ページ選択基準が設定される。
【００３９】
スキャナ制御部１９には、スキャナ２０が接続されており、スキャナ２０は、例えば、ＣＣＤ（Charge Coupled Device）を利用したイメージスキャナが利用されて、スキャナ制御部１９の制御下で動作して、原稿を走査して原稿の画像を所定の解像度で読み取る。スキャナ制御部１９は、メインＣＰＵ１１からの制御信号に応じて、スキャナ２０の動作を制御して、スキャナ２０により原稿の画像を読み取らせ、スキャナ２０の読み取った原稿の画像を大容量メモリ１６に転送する。
【００４０】
プロッタ制御部２１には、プロッタ２２が接続されており、プロッタ２２としては、例えば、電子写真方式等の記録装置が使用されている。プロッタ制御部２１は、大容量メモリ１６から転送されてくる画像データ（書込データ）に基づいてプロッタ２２を制御し、プロッタ２２により画像データに対応した画像を記録紙に記録出力させる。
【００４１】
プロッタ２２は、両面記録機能を備えており、記録紙の表面と裏面に画像を記録出力する。
【００４２】
ＩＯ制御部２３には、用紙センサ、ドアセンサ、ヒーター温度センサ等の各種センサやモータ類等の各種ＩＯ２４が接続されており、ＩＯ制御部２３は、これらの各種ＩＯ２４との信号の授受を行って、受け取った信号をメインＣＰＵ１１に出力する。
【００４３】
通信制御部３０は、通信制御コントローラ３１、ＲＯＭ３２、ＲＡＭ３３、ワークＲＡＭ３４、通信データ処理部３５、通信データ蓄積メモリ３６、Ｇ３ｆａｘモデム３７、アナログ回線ＩＦ３８、デジタル回線制御部３９、デジタル回線ＩＦ４０及びＬＡＮ制御部４１等を備えており、上記各部は、上記ブリッジ６０に接続されたバス４２に接続されている。すなわち、通信制御部３０には、通信ポートとして、アナログ回線ＩＦ３８とデジタル回線ＩＦ４０を備えており、ネットワークポートとして、ＬＡＮ制御部４１を備えている。
【００４４】
ＲＯＭ３２には、通信制御部３０としての基本プログラム及びシステムデータ等が格納されており、ＲＡＭ３３は、電池４３でバックアップされていて、各種情報を複合装置１の電源がオフされた場合や停電の場合にも保持する。ＲＡＭ３３には、特に、ＬＡＮに接続されているプリンタと複合装置１のプロッタ２２のＬＡＮ上のアドレス及びそのプリント言語が登録され、通信制御コントローラ３１により管理される。
【００４５】
通信制御コントローラ３１は、ＲＯＭ３２内のプログラムに基づいて、ワークＲＡＭ３４を使用しつつ、通信制御部３０の各部を制御して通信制御部３０としての処理を実行する。そして、通信制御コントローラ３１は、ワークＲＡＭ３４を利用して、縮小された縮小画像を記録紙の１ページ分に所定のフォーマットで集約する集約機能を備え、集約手段として機能する。
【００４６】
通信データ処理部３５は、通信制御コントローラ３１の制御下で、送受信するデータを通信ポートに適した応じた方式で送信データの圧縮処理及び受信データの伸長処理し、また、デジタル信号処理を行う。
【００４７】
通信データ蓄積メモリ３６は、通信制御コントローラ３１の制御下で、送受信する通信データ等を蓄積する。
【００４８】
ＬＡＮ制御部４１には、ＬＡＮ（Local Area Network）が接続されており、ＬＡＮ制御部４１は、ＬＡＮ上のパーソナルコンピュータやサーバ等の端末及びプリンタとの間でデータやコマンドをやり取りする。
【００４９】
Ｇ３ｆａｘモデム３７には、アナログ回線ＩＦ３８が接続されており、アナログ回線ＩＦ３８には、公衆回線網のアナログ電話網や内線網が接続されている。Ｇ３ｆａｘモデム３７は、通信制御コントローラ３１の制御下で動作して、送信信号の変調及び受信信号の復調を行うとともに、アナログ回線ＩＦ３８を介して相手ファクシミリ装置との間でＧ３ファクシミリ通信手順を実行する。
【００５０】
デジタル回線制御部３９には、デジタル回線ＩＦ４０が接続されており、デジタル回線ＩＦ４０には、公衆回線網のＤ＋２Ｂを備えたＩＳＤＮ（Integrated Services Digital Network）等のデジタル回線網が接続されている。デジタル回線制御部３９は、通信制御コントローラ３１の制御下で、デジタル回線ＩＦ４０を介して相手端末との間でデータ通信手順、例えば、Ｇ４ファクシミリ通信手順を実行したり、ＩＳＤＮプロトコルを制御する。
【００５１】
上記電源供給部５０は、電源コード５１の接続された直流電源供給部５２を備えており、電源コード５１から供給される交流の商用電源を、直流電源供給部５２で各種電圧値の直流電源に変換して、複合装置１の各部に供給するとともに、交流電源をモータ等に供給する。
【００５２】
次に、本実施例の作用を説明する。本実施の形態の複写装置１は、複数ページのファクシミリ受信を行うと、１ページ目は通常の出力を行い、２ページ目以降を集約して１ページ目を記録した記録紙の裏面に記録出力する。
【００５３】
そして、この複写装置１は、プロッタ２２が、複数の紙サイズを給紙できるカセットを装着しており、カセットを選択することで、複数の記録紙を選択できる。例えば、片面しか記録できないＡ４サイズ、Ａ３サイズの記録紙、両面記録できるＡ４サイズ、Ａ３サイズの記録紙の４種類等である。
【００５４】
そして、複写装置１は、ファクシミリ受信があると、通信制御コントローラ３１が通信が完了するまでファクシミリ圧縮データのまま通信データ蓄積メモリ３６に蓄積するメモリ蓄積を行い、ページ毎に印刷出力しないように設定する。複写装置１は、ファクシミリ受信が完了すると、一般にファクシミリ通信で管理する通信管理情報データから受信ページを確認し、複数ページの受信を行うと、以下に説明する集約印刷を行う。
【００５５】
すなわち、複写装置１は、ファクシミリ受信画像の受信ページが単一ページであると、片面記録が可能な記録紙を選択し、当該記録紙に受信した１ページの画像を記録出力する。
【００５６】
ところが、複数ページの画像を受信すると、受信画像データをファクシミリ圧縮データのまま通信データ蓄積メモリ３６に蓄積し、通信データ蓄積メモリ３６に格納された当該受信画像のうち、２ページ目から５ページ目の画像を選別して、通信データ処理部３５を用いてファクシミリ伸長してから間引き処理を行って、１／４に縮小した画像を作成する。
【００５７】
なお、この場合、受信画像の２ページ目以降のページが、４ページでない場合、例えば、受信ページが全ページで３ページの場合には、２、３ページ目だけを１／４縮小する。
【００５８】
通信制御コントローラ３１は、受信画像の２ページ目以降のページの画像を縮小処理すると、予め決められたフォーマットに基づいて、例えば、図２に示すように、１／４縮小画像をはめ込んだ１ページの画データをワークＲＡＭ３４に展開する。
【００５９】
次に、通信制御コントローラ３１は、１ページ目の画像データを通信データ蓄積メモリ３６から読み出して、等倍のままファクシミリ伸長し、１、２ページ目を両面利用できるペーパーを用いて、両面印刷するようメインＣＰＵ１１に通知し、ブリッジ６０を介してデータをプロッタ制御部２１に転送する。
【００６０】
プロッタ制御部２１は、転送されてきた画像データに基づいてメインＣＰＵ１１の制御に応じてプロッタ２２を制御して、両面印刷可能な記録紙を用いて１ページ目の画像と２ページ目の画像である縮小されて集約された画像とを、当該記録紙の表面と裏面に記録出力させる。したがって、ファクシミリ受信画像としては、複数ページであるが、記録出力される記録紙は、１枚のみであり、記録紙と電力を節約することができるとともに、受信内容を適切に把握することができる。
【００６１】
複写装置１は、プリントの一時データは破棄し、受信データはそのまま通信データ蓄積メモリ３６に保存しておく。また、複写装置１において、出力と受信データについては、通常のファクシミリ装置等と同様に、ＴＴＩ等にファイル番号を付して、オペレータが全ページプリントすることができる。
【００６２】
また、複写装置１は、受信ページのページ数が多い場合、集約して記録する集約ページとして、より情報量が多く集約画像として有効なページと考えられるページを自動選択して集約ページを作成して、記録出力する。
【００６３】
そして、複写装置１は、この有効ページの選択を、例えば、黒字率（黒ドット数／原稿サイズ）を用いて行う。
【００６４】
すなわち、複写装置１は、複数ページの画像を受信すると、上述のように、通信制御コントローラ３１の制御下で、受信画像データをファクシミリ圧縮データのまま通信データ蓄積メモリ３６に蓄積し、通信データ蓄積メモリ３６に格納された当該受信画像のうち、２ページ目から順次ファクシミリ伸張を行って、ワークＲＡＭ３４に展開するとともに、黒のドット数をカウントして、黒字率（黒ドット数／原稿サイズ）を算出する。
【００６５】
通信制御コントローラ３１は、黒字率を予め設定されているスレッシュ値と比較して、黒字率がスレッシュ値未満のときには、集約画像として情報量が少なく不適切であると判断して、縮小画像を作成せず、当該展開データを破棄する。
【００６６】
通信制御コントローラ３１は、黒字率がスレッシュ値を越えていると、集約画像として適切であると判断して、例えば、間引き処理を行って、１／４に縮小した画像を作成する。通信制御コントローラ３１は、以降のページについて順次上記同様の処理を、縮小画像を作成するページが４ページになるまで、行って、４ページの縮小画像を作成すると、予め決められたフォーマットに基づいて、例えば、図３に示すように、１／４縮小画像をはめ込んだ１ページの画データをワークＲＡＭ３４に展開するとともに、上記黒字率がスレッシュ値未満で縮小画像を作成しなかったページに対するコメント、例えば、「Ｐ３、４省略」等を埋め込んで、これらのデータを格納する。このコメントは、予め決められた語彙で、ページ数を動的に表示するようにする。
【００６７】
複写装置１は、このワークＲＡＭ３４の展開画像を、上述のように、コピー制御部１０に転送して、両面印刷可能な記録紙を用いて１ページ目の画像と２ページ目の画像である縮小された画像とを、当該記録紙の表面と裏面に記録出力する。したがって、ファクシミリ受信画像としては、複数ページであるが、記録出力される記録紙は、１枚のみであり、記録紙を節約することができる。
【００６８】
すなわち、複合装置１は、複数ページの受信画像データの２ページ目以降の画像データについて当該各ページが集約ページとして有効なページであるか否かを通信制御コントローラ３１で判定して、集約ページとして有効であると判定したページの画像データを縮小画像に縮小し、当該縮小画像を集約して、当該集約画像をプロッタ２２で１ページ目の画像を記録した記録紙の裏面に記録出力している。
【００６９】
したがって、イメージ等があまり記載されていないページ等のように情報量の少ないページを省いて、情報量の多いページのみを集約した集約画像を作成して裏面に記録することができ、受信画像の内容の判定をより一層適切に行うことができるとともに、紙資源と電力資源を節約することができる。
【００７０】
さらに、複写装置１は、受信ページのページ数が多い場合、集約して記録する集約ページの選択条件を、ユーザが操作パネル１８の操作で指定し、当該指定された選択条件でページを自動選択して集約ページを作成して、記録出力する。
【００７１】
すなわち、複合装置１は、ユーザが操作パネル１８の操作で、集約ページを選択する選択条件を設定することができ、例えば、以下のような選択条件（集約ページ選択基準）を設定することができる。
【００７２】
（ａ）黒字率の高いページ４つのページを選択して、集約ページを作成する。
【００７３】
（ｂ）意味をなさない程度の黒字率が判別できるスレッシュ以上で、黒字率の低いものを優先して、４ページを選択して、集約ページを作成する。
【００７４】
（ｃ）黒字率の上下限スレッシュを設定して、当該上下限スレッシュの範囲内のページを４ページ選択して、集約ページを作成する。
【００７５】
そして、通信制御コントローラ３１は、複数ページの画像を受信すると、上述のように、受信画像データをファクシミリ圧縮データのまま通信データ蓄積メモリ３６に蓄積し、通信データ蓄積メモリ３６に格納された当該受信画像のうち、２ページ目から順次ファクシミリ伸張を行って、ワークＲＡＭ３４に展開するとともに、黒のドット数をカウントして、黒字率（黒ドット数／原稿サイズ）を算出する。この場合、複合装置１のハードウェアが高速処理できる場合には、受信画の２ページ以降全ページの黒字率を算出するのは容易である。
【００７６】
通信制御コントローラ３１は、黒字率に基づいて上記選択条件のうち設定された選択条件に合致するページを４ページ選択し、選択したページの画像に対して、例えば、間引き処理を行って、１／４に縮小した画像を作成する。通信制御コントローラ３１は、４ページの縮小画像を作成すると、予め決められたフォーマットに基づいて、例えば、図３に示したように、１／４縮小画像をはめ込んだ１ページの画データをワークＲＡＭ３４に展開するとともに、上記選択条件に合致せずに縮小画像を作成しなかったページに対するコメント、例えば、「Ｐ３、４省略」等を埋め込んで、これらのデータを格納する。このコメントは、予め決められた語彙で、ページ数を動的に表示するようにする。
【００７７】
複写装置１は、このワークＲＡＭ３４の展開画像を、上述のように、コピー制御部１０に転送して、両面印刷可能な記録紙を用いて１ページ目の画像と２ページ目の画像である縮小された画像とを、当該記録紙の表面と裏面に記録出力する。したがって、ファクシミリ受信画像としては、複数ページであるが、記録出力される記録紙は、１枚のみであり、記録紙を節約することができる。
【００７８】
このように、複合装置１は、複数ページの受信画像データの２ページ以降の画像データのうち、操作パネル１８で設定された集約ページ選択基準を満たしていると通信制御コントローラ３１が判定したページの画像データを縮小画像に縮小し、当該縮小画像を集約して、当該集約画像をプロッタ２２で１ページ目の画像を記録した記録紙の裏面に記録出力している。
【００７９】
したがって、イメージ等があまり記載されていないページ等のように情報量の少ないページ等をユーザの選択基準に基づいて省いて、ユーザの選択した情報量に応じたページのみを集約した集約画像を作成して裏面に記録することができ、受信画像の内容の判定をユーザにとってより一層適切に行うことができるとともに、紙資源と電力資源を節約することができる。
【００８０】
また、複合装置１は、記録画像の１ページ目の画像として受信１ページ目の画像に固定せず、受信画像の内容を把握するのにより有効な画像のページを記録画像の１ページ目の画像（表面画像）とする。
【００８１】
すなわち、通信制御コントローラ３１は、複数ページの画像を受信すると、当該受信画像の１ページ目と２ページ目をファクシミリ伸長し、ワークＲＡＭ３３にイメージ展開とともに、黒のドット数をカウント、すなわち、黒字率を算出し、１ページ目の黒字率と２ページ目の黒字率の比較を行う。通信制御コントローラ３１は、１ページ目と２ページ目のうち、黒字率の高い方を、プリント（記録出力）の１ページ目の画像として選択し、当該選択したページの画像データを展開したままにする。なお、この１ページ目の画像（表面画像）の選択は、操作パネル１８の操作でユーザが適宜設定した選択基準（表面ページ選択基準）としての１ページ目の黒字率と２ページ目の黒字率のうち黒字率の高い方を１ページ目の画像とするという基準に基づいて行っているが、表面ページ選択基準としては、上記内容に限るものではなく、ユーザが適宜設定することができる。
【００８２】
そして、通信制御コントローラ３１は、黒字率の低い方のページの画像データの黒字率を、設定可能な先頭ページとしての比較スレッシュ値と比較し、比較スレッシュ値以上であると、２ページ目の先頭画像、すなわち、図２または図３の左上の画像とし、当該ページの画像データの黒字率が比較スレッシュ値未満であると、当該ページの画像データ（展開データ）を破棄する。
【００８３】
通信制御コントローラ３１は、受信画像データの３ページ目以降の画像データについても、順次当該ページの画像データの黒字率を、ユーザが操作パネル１８で適宜設定した比較スレッシュ値と比較し、比較スレッシュ値以上のページを４ページ分取得すると、上述のように、例えば、間引き処理を行って、１／４に縮小した画像を作成する。通信制御コントローラ３１は、以降のページについて順次上記同様の処理を、縮小画像を作成するページが４ページになるまで、行って、４ページの縮小画像を作成すると、予め決められたフォーマットに基づいて、例えば、図３に示すように、１／４縮小画像をはめ込んだ１ページの画データをワークＲＡＭ３４に展開するとともに、上記黒字率が比較スレッシュ値未満で縮小画像を作成しなかったページに対するコメント、例えば、「Ｐ３、４省略」等を埋め込んで、これらのデータを格納する。このコメントは、予め決められた語彙で、ページ数を動的に表示するようにする。
【００８４】
複写装置１は、このワークＲＡＭ３４の展開画像を、上述のように、コピー制御部１０に転送して、両面印刷可能な記録紙を用いて１ページ目の画像と２ページ目の画像である縮小された画像とを、当該記録紙の表面と裏面に記録出力する。
【００８５】
このように、複合装置１は、複数ページの受信画像データの１ページ目以降の所定ページの画像データのうち、操作パネル１８で設定された両面記録する記録紙の表面に記録するページを選択する表面ページ選択基準を満たしていると通信制御コントローラ３１が判定したページの画像データをプロッタ２２で両面記録する記録紙の表面に記録出力している。
【００８６】
したがって、ユーザの設定に応じた情報のページを表面ページとして記録することができ、受信画像の内容の判定をユーザにとってより一層適切に行ことができるとともに、紙資源と電力資源を節約することができる。
【００８７】
さらに、複合装置１は、ＬＡＮに接続されたクライアント端末から受信画像データを閲覧することができる。
【００８８】
すなわち、複合装置１は、通信制御コントローラ３１の制御下で、複数ページの画像を受信すると、上述のように、まず、１ページ目の画像データを一旦通信データ蓄積メモリ３６に蓄積した後、当該１ページ目の画像データを通信データ蓄積メモリ３６から読み出して、等倍のままファクシミリ伸長し、ブリッジ６０を介してデータをプロッタ制御部２１に転送するとともに、ワークＲＡＭ１４にも当該１ページ目の伸長した画像データを書き込む。
【００８９】
通信制御コントローラ３１は、上述のように、画像データを転送するとともに、メインＣＰＵ１１に対して、両面印刷の要請及びＬＡＮからの閲覧を許可要請を通知する。
【００９０】
メインＣＰＵ１１は、圧縮伸長制御部１５を用いて、ＬＡＮに接続されているクライアント端末、例えば、パーソナルコンピュータの搭載するアプリケーションで閲覧することのできるファイル形式、例えば、ＴＩＦＦ形式に変換して、変換後のファイルを大容量メモリ１６に蓄積する。この場合、大容量メモリ１６に格納するファイルのファイル名称は、例えば、ＦＡＸ＿（ファクシミリ管理上のファイル番号）．ＴＩＦとし、ＴＴＩ等に印字するファクシミリ管理上のファイル番号を付しておくことで、適切にファイル管理することができる。
【００９１】
そして、ＬＡＮに接続されたクライアント端末、例えば、パーソナルコンピュータでは、汎用ファイルを閲覧することのできるドライバソフトを搭載し、大容量メモリ１６の一覧、閲覧をできる状態となっていると、当該クライアント端末からＬＡＮ経由で大容量メモリ１６内の受信データを閲覧することができる。
【００９２】
このように、複合装置１は、受信画像データのうち少なくとも１ページ目の画像データを、ネットワークに接続されているクライアント端末の搭載しているアプリケーションで少なくとも表示可能なファイル形式にファイル変換し、クライアント端末のアプリケーションからの要求に応じて、当該変換ファイルをＬＡＮを介して当該クライアント端末に転送している。
【００９３】
したがって、ネットワーク上のクライアント端末から少なくとも受信画像データの１ページ目を閲覧することができ、利用性を向上させることができるとともに、紙資源と電力資源を節約することができる。
【００９４】
すなわち、小規模で低速度のＬＡＮ環境においても、容易にファイルサーバ機能を実現することができる。
【００９５】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９６】
複数ページの受信画像をその内容を確認しつつ紙資源及び電力資源を節約するファクシミリ装置に適用することができる。
【図面の簡単な説明】
【００９７】
【図１】本発明のファクシミリ装置の一実施例を適用した複合装置のブロック構成図。
【図２】図１の複合装置で受信画像を２ページ以降の画像を集約記録した状態の記録紙の平面図。
【図３】図１の複合装置で受信画像を２ページ以降の画像のうち黒字率に基づいて選択したページの画像を集約記録した状態の記録紙の平面図。
【符号の説明】
【００９８】
１  複合装置
１０  コピー制御部
１１  メインＣＰＵ
１２  ＲＯＭ
１３  ＲＡＭ
１４  ワークＲＡＭ
１５  圧縮伸長制御部
１６  大容量メモリ
１７  操作パネル制御部
１８  操作パネル
１９  スキャナ制御部
２０  スキャナ
２１  プリンタ制御部
２２  プリンタ
２３  ＩＯ制御部
２４  ＩＯ
２５  バス
２６  電池
３０  通信制御部
３１  通信制御コントローラ
３２  ＲＯＭ
３３  ＲＡＭ
３４  ワークＲＡＭ
３５  通信データ処理部
３６  通信データ蓄積メモリ
３７  Ｇ３ｆａｘモデム
３８  アナログ回線ＩＦ
３９  デジタル回線制御部
４０  デジタル回線ＩＦ
４１  ＬＡＮ制御部
４２  バス
４３  電池
５０  電源供給部
６０  ブリッジ
【図１】
2005150790.tif 000003
【図２】
2005150790.tif 000004
【図３】
2005150790.tif 000005